(57)【特許請求の範囲】
【請求項１】
肘支柱上に肘当てを設けた肘掛けにフックを設けてなる椅子であって、
前記フックが前記肘支柱に着脱可能に係り合って外嵌される取付部と、この取付部に支持されたフック本体とを備え、
前記肘支柱が、側面視並びに平面視において括れた括れ部を有するものであり、
前記取付部が、前記括れ部に密着し得る括れ取付面を構成しているとともに、前記括れ取付面の最も細い箇所の両側を固定する固定手段を具備していることを特徴とする椅子。
【請求項２】
前記フック本体が、前記取付部に対して固定されたものである請求項１記載の椅子。
【請求項３】
前記フック本体が、前記取付部に対して添設させた収納位置と前記取付部に対して突出させた使用位置との間で作動可能に取り付けられたものである請求項１記載の椅子。
【請求項４】
前記フックが、フック本体を収納位置に退避させた状態で平面視において肘当ての外縁よりも内側に位置するように構成されている請求項３記載の椅子。
【請求項５】
前記肘支柱が、上方に向かって太さが漸次縮小するテーパ形状をなす第１のテーパ部を有するものであり、前記取付部が当該第1のテーパ部に着脱可能に外嵌されるものである請求項１、２、３又は４記載の椅子。
【請求項６】
前記取付部が、上方に向かって漸次縮小するテーパ形状をなし前記第１のテーパ部に密着し得る第１の取付面を有している請求項５記載の椅子。
【請求項７】
前記肘支柱が前記第１のテーパ部の上部において上方に向かって漸次増大するテーパ形状をなす第２のテーパ部を更に有することにより、前記両テーパ部によって前記括れ部を形成したものであり、
前記取付部が、前記第２のテーパ部に密着し得る第２の取付面をさらに有することにより、前記括れ部に密着し得る前記括れ取付面を構成している請求５又は６記載の椅子。
【請求項８】
前記括れ部が湾曲面を形成している請求項７記載の椅子。
【請求項９】
肘支柱上に肘当てを設けた肘掛けを有する椅子本体に取り付ける椅子のフックであって、前記肘支柱が有する側面視並びに平面視において括れた括れ部に係り合って外嵌し得る括れ取付面を有する取付部と、この取付部に支持されたフック本体と、前記括れ取付面の最も細い箇所の両側を固定する固定手段とを備えるものであることを特徴とする椅子のフック。
【請求項１０】
前記取付部が、上方に向かって太さが漸次縮小するテーパ形状をなす内面である第１の取付面を有するものである請求項９記載の椅子のフック。
【請求項１１】
前記取付部が、第1の取付面の上部において上方に向かって漸次増大するテーパ形状をなす第２の取付面を更に有するものであり、前記第1、第２の取付面によって前記括れ取付面を構成している請求項１０記載の椅子のフック。
【請求項１２】
前記固定手段がボルトとナットによって肘支柱を固定するものであり、外方から六角形状のナットを収容し所定箇所に位置付け得るナット収容部を形成している請求項９、１０又は１１記載の椅子のフック。
【発明の詳細な説明】
【技術分野】
【０００１】
本発明は、肘掛けを具備している椅子のうち、フリーアドレスタイプのオフィスで好適に使用され得る椅子に関するものである。
【背景技術】
【０００２】
フリーアドレス形式のオフィスレイアウトを採用したフリーアドレスオフィス（例えば、下記非特許文献を参照）は、１９８０年代後半に始まったとされる。フリーアドレスオフィスでは、執務者個々人の自席を固定せず、誰でも自由に利用できるデスク及び椅子を配したカフェスタイルのフロアを構築する。
【０００３】
そしてこのようなフリーアドレスオフィスの場合、執務者は、必要書類やパーソナルコンピュータ等を予め勤務者に割り当てられたロッカー等から取り出し、それらをオフィス内に持参し、空いている席に着いて仕事をする。
【０００４】
つまり、このよう態様を想定すると、執務者がロッカー等から必要書類やパーソナルコンピュータ等を持ち出す場合は、これらを確実に執務者の近辺に位置付けることを重視すれば、特許文献１のような態様のバッグを採用する等によって、椅子の肘近辺に位置付けることが考えられる。
【先行技術文献】
【特許文献】
【０００５】
【特許文献１】特開２００１−１０４０９３号公報
【非特許文献】
【０００６】
【非特許文献１】嶋村仁志、山田哲弥、杉山武、岩田美成、「研究執務スペースのフリーアドレス化に関する研究その１：折畳移動机を用いたフリーアドレス・オフィスのユーザー満足度評価による効果分析」、日本建築学会計画系論文集、社団法人日本建築学会、１９９８年７月３０日、Ｎｏ．５０９、ｐｐ．１２９−１３４
【非特許文献２】岩切一幸、毛利一平、外山みどり、野瀬かおり、落合孝則、城内博、斉藤進、「フリーアドレス形式オフィスレイアウトでのＶＤＴ作業者の姿勢および身体的疲労感」、産業衛生学雑誌、社団法人日本産業衛生学会、２００６年１月２０日、Ｖｏｌ．４８、ｐｐ．７−１４
【発明の概要】
【発明が解決しようとする課題】
【０００７】
しかしここで、執務者の実際の作業を考えると、上記のような必要書類等に限られず、様々な荷物類を椅子の肘に近接した位置に位置付けておく事ができる椅子が求められている。すなわち、上記特許文献１記載のバックによって荷物類を保持しておく態様の他に、当該バックを利用しなくとも容易に荷物等を位置付けておくことができる椅子が求められている。
【０００８】
本発明は、このような点に着目したものであり、着座者の肘付近に容易に荷物類を位置付けておくことができる椅子を提供することを目的としている。
【課題を解決するための手段】
【０００９】
本発明は、このような目的を達成するために、次のような手段を講じたものである。すなわち本発明に係る椅子は、肘支柱上に肘当てを設けた肘掛けにフックを設けてなる椅子であって、前記フックが前記肘支柱に着脱可能に係り合って外嵌される取付部と、この取付部に支持されたフック本体とを備え、前記肘支柱が、側面視並びに平面視において括れた括れ部を有するものであり、前記取付部が、前記括れ部に密着し得る括れ取付面を構成しているとともに、前記括れ取付面の最も細い箇所の両側を固定する固定手段を具備していることを特徴とする。
【００１０】
このようなものであれば、肘支柱に係り合って外嵌する取付部によって、自ずと所定の位置でフックを位置付けることができる。さらに、フック本体に荷物を掛けることによって着座者は執務中に必要なものを自身の近辺に位置付けておくことができるので、フリーアドレスオフィスにおいて執務を快適に行なうことが可能となる。
【００１１】
そしてフック本体を、取付部に対して固定されたものとすれば、肘支柱に対して一体的に取り付けて強度の高いものとすることができる。
【００１２】
また他方、フック本体を、取付部に対して添設させた収納位置と取付部に対して突出させた使用位置との間で作動可能に取り付けられたものであれば、使用するときにのみ使用位置として使用フック本体を十分に突出させて使用することが可能である。
【００１３】
そして、フックを使用者や他のオフィス家具に不必要に干渉し難いものとするためには、フック本体を収納位置に退避させた状態で平面視において肘当ての外縁よりも内側に位置するように構成しておくことが望ましい。
【００１４】
肘支柱を上方に向かって太さが漸次縮小するテーパ形状をなす第1のテーパ部を有するものとし、取付部を当該第1のテーパ部に着脱可能に外嵌されるものとすれば、フック本体に荷物を掛けることによってフックと第１のテーパ部との取付強度はより強まることとなるので、安定して荷物を掛け得るフック付の椅子を提供することが可能となる。
【００１５】
また、取付部が肘支柱に対してより確実に位置決めさせるためには、取付部を、上方に向かって漸次縮小するテーパ形状をなし第1のテーパ部に密着し得る第1の取付面を有したものとすることが望ましく、このようなものであれば、第１のテーパ部の形状に応じて所要の向きに取付部を位置付けることも可能である。
【００１６】
さらに、取付部の位置決めをより確実なものとするためには、肘支柱を第1のテーパ部の上部において上方に向かって漸次増大するテーパ形状をなす第２のテーパ部を更に有することにより、両テーパ部によって括れ部を形成したものとし、取付部を、第２のテーパ部に密着し得る第２の取付面をさらに有することにより、括れ部に密着し得る括れ取付面を構成することが望ましい。
【００１７】
そして、この括れ部が湾曲面を形成しているものであれば、括れ取付面を強い力で取り付けても力が括れ部全体に分散されて、肘支柱に強固に取り付け得るものとなる。
【００１８】
すなわち、本発明に係る椅子のフックは、肘支柱上に肘当てを設けた肘掛けを有する椅子本体に取り付ける椅子のフックであって、前記肘支柱が有する側面視並びに平面視において括れた括れ部に係り合って外嵌し得る括れ取付面を有する取付部と、この取付部に支持されたフック本体と、前記括れ取付面の最も細い箇所の両側を固定する固定手段とを備えるものであることを特徴とする。
【００１９】
そして肘支柱が上方に向かって太さが漸次縮小するテーパ形状をなす第1のテーパ部を有するものである場合には、上方に向かって太さが漸次縮小するテーパ形状をなす内面である第1の取付面を有するものとして取付部を肘支柱に密着させれば、取付部は上下方向に自ずと位置決めされるものとなり、フック本体に荷物を掛けた場合に肘支柱と取付部はより強く密着し、取付位置が好適に維持され得るものとなる。
【００２０】
そして肘支柱が第１のテーパ部の上部において上方に向かって漸次増大するテーパ形状をなす第２のテーパ部を有するものである場合には、同じく上方に向かって漸次増大するテーパ形状をなす第２の取付面を第１の取付面の上側に連続させて設けることにより、当該第1、第２の取付面によって括れ取付面を構成しているものとすれば、肘支柱の括れた箇所に取り付けることで上下何れの方向にも移動不能に位置付け得るものとなる。
【００２１】
さらに、より強固に肘支柱に取り付ける為の構成として、取付部を、括れ部の最も細い箇所の両側を固定する固定手段を更に設けたものとしておくことが望ましい。
【００２２】
そして、固定手段がボルトとナットによって肘支柱を固定するものとした場合に、外方から六角形状のナットを収容し所定箇所に位置付け得るナット収容部を形成しておけば、単純な構成で固定手段を構成することができる。
【発明の効果】
【００２３】
本発明によれば、肘支柱の形状を利用して取付部を取り付けることにより、自ずと所定の位置でフックを位置付けることができる。さらに、フック本体に荷物を掛けることによって着座者は執務中に必要なものを自身の近辺に位置付けておくことができるので、フリーアドレスオフィスにおいて執務を快適に行なうことが可能となる。
【図面の簡単な説明】
【００２４】
【図１】本発明の一実施形態を示す外観図。
【図２】同実施形態の要部の外観図。
【図３】図２に係る作用説明図。
【図４】同実施形態に係る要部の側面図。
【図５】同正面図。
【図６】図５に係る作用説明図。
【図７】同実施形態の変形例１に係る要部の外観図。
【図８】同実施形態の変形例２に係る全体並びに要部の外観図。
【発明を実施するための形態】
【００２５】
この椅子は、図１に示すように、脚体１と、この脚体１の上部に支持され水平旋回可能な支持基部２と、この支持基部２の上に配された座３と、前記座３下方から左右上方に延びて設けられた肘掛け５と、支持基部２に後傾動作可能に設けられた背フレーム４０を有する背凭れ４と、そして後に詳述するフック６とを具備してなる。
【００２６】
脚体１は、図１に示すように、キャスタ１１を有した脚羽根タイプの脚ベース１２と、この脚ベース１２の中心部に立設した脚支柱１３とを具備してなる。脚支柱１３は、ガススプリングを主体に構成された通常のもので、この脚支柱１３の上端部に支持基部２が取り付けられている。
【００２７】
支持基部２は、図１に示すように、脚体１によって水平旋回可能に支持されたもので、脚支柱１３に装着されたハウジング２１と、このハウジング２１に貫装される背凭れ４支持用の支軸２２と、この支軸２２に力を付与して背凭れ４の後傾動作に対して弾性反発力を発生させる図示しない傾動反力発生機構とを具備してなる。傾動反力発生機構は、図示しないコイルスプリングやガススプリング等を用いて支軸２２に回転方向の弾性反発力を付与し得るように構成されたものであるが、通常のものであるため説明を省略する。
【００２８】
座３は、図１に示すように、座受に座面を構成するクッション体を装着してなるものである。本実施形態では、座３の前端部は、支持基部２２に対し前後方向にスライド移動可能に支持させており、座３の後端部は、背フレーム４０における下部背フレーム４２にヒンジ（図示せず）を介して取り付けている。
【００２９】
背凭れ４は、図１に示すように、背フレーム４０の前面に背凭れ４面を構成する張地４１を張り設けたものである。背フレーム４０は、全体が側面視ほぼＬ字型であり、基端部を前記支持基部２の主軸に後傾動作可能に取り付けられた下部背フレーム４２と、この下部背フレーム４２の先端に先端軸を介して後傾動作可能に取り付けられた上部背フレーム４３と、上部背フレーム４３を後方より支持する樹脂バネ４４とを備えている。
【００３０】
本実施形態の椅子は、座３及び背凭れ４１が連動して傾動するシンクロロッキング動作が可能である。すなわち、シンクロロッキング動作では、背フレーム４０全体が支軸２２回りに回動することで背凭れ４が前後に傾動する。同時に、座３の後端部が背フレーム４０に連動して上下に揺動し、かつ座３の前端部が前後にスライドする。
【００３１】
肘掛け５は、左右対称形状をなしている、所謂Ｔ型肘の形状を採用したものであり、基端部を下部背フレーム４２に取り付けられた肘支柱５０と、この肘支柱５０に支持された肘当て５１とを具備してなる。肘支柱５０は、基端部から上方へ向けて漸次直径が小さくなる、換言すれば、上方に向かって太さが漸次縮小するテーパ形状をなす第1のテーパ部５３を有している。加えて、当該第1のテーパ部５３の上部において上方に向かって漸次増大するテーパ形状をなす第２のテーパ部５４とを有することにより、両テーパ部５３、５４によって括れ部５２を形成している。当該括れ部５２は、側面視並びに正面視において湾曲形状をなしたものである。なお本実施形態に係る肘掛け５は、下部背フレーム４２に対して固定され且つ一体的に形成されたＴ型肘の態様としているが、例えば肘支柱５０の長さを適宜変更して肘当て５１の高さ寸法を変更し得る可動肘の態様を採用してもよい。また勿論、肘当て５１を水平方向に旋回可能に構成した態様を適用してもよい。
【００３２】
しかして本実施形態に係る椅子は、肘支柱５０上に肘当て５１を設けた肘掛け５にフック６を設けてなる椅子であって、フック６が肘支柱５０に着脱可能に係り合いながら外嵌される取付部６１と、この取付部６１に支持されたフック本体６０とを備えるものであることを特徴とするものである。
【００３３】
すなわち本実施形態に係る椅子のフック６は、肘支柱５０上に肘当て５１を設けた肘掛け５を有する椅子本体に取り付ける椅子のフック６であって、肘支柱５０に係り合いながら外嵌する第1の取付面６７を有する取付部６１と、この取付部６１に支持されたフック本体６０とを備えるものであることを特徴とするものである。
【００３４】
以下、フック６の各構成要素について詳述する。
【００３５】
フック６は、図２、図３、図４、図５及び図６に示すように、肘支柱５０に取り付ける取付部６１と、取付部６１に支持されたフック本体６０と、取付部６１に前後から取り付けるカバー６２とを主に有している。
【００３６】
フック本体６０は、取付部６１の外側部６６、詳細には回転軸部６６ｂに略９０°に回転可能に取り付けられたものであり、取付部６１に対して添設させた収納位置（Ｑ）と前記取付部６１に対して突出させた使用位置（Ｐ）との間で作動可能に取り付けられたものとしている。またフック本体６０は、収納位置（Ｑ）に退避させた状態で平面視において肘当て５１の外縁よりも内側に位置するように構成している。詳細には図６に示すように、正面視において一点鎖線で図示している肘当て５１の外側の外縁よりも内側に位置付けられている。
【００３７】
取付部６１は、正面視半割構造をなす内側部６５と外側部６６とを主体として構成しており、これら内側部６５と外側部６６との内面側に、肘支柱５０の括れ部５２に密着し得る括れ取付面たる取付面６７を連続的に形成している。
【００３８】
内側部６５は、取付面６７における最も突出している箇所近傍に、前後からそれぞれ市販の六角形状のナットｎを挿入・収容するためのナット収容部６５ａと、外側部６６から挿入された図示しないボルトｂの先端を貫通させてナット収容部６５ａにまで到達させ得るボルト貫通部６５ｂとを有している。
【００３９】
外側部６６は、フック６を使用位置（Ｐ）とした状態で肘掛け５の外側からボルトｂを挿通するためのボルト挿通部６６ａと、フック本体６０を回転可能に支持する回転軸部６６ｂとを有している。なお本実施形態ではフック本体６０を使用位置（Ｐ）とした際にボルト挿通部６６ａを被覆するためのカバーを図示し、ボルト挿通部６６ａは当該カバー６２を取り外すことによって外側へ露出させる態様としているが、当該態様は既存の構成であるために説明を省略するものとする。
【００４０】
そして取付面６７は、上方に向かって漸次縮小するテーパ形状をなし前記第1のテーパ部５３に密着し得る第1の取付面６７と、当該第１の取付け面の上部において、上方に向かって漸次膨出する第２のテーパ部５４に密着し得るように、上方に向かって拡開させて形成した第２の取付面６７とを有している。
【００４１】
しかして本実施形態に係る椅子並びに椅子のフック６は、この取付部６１が、括れ部５２の最も細い箇所の両側を固定する固定手段Ｘを更に具備している。具体的には特に図４に示すように、前記固定手段Ｘが図５及び図６において破線で図示するボルトｂとナットｎによって肘支柱５０を固定するものであり、上述の通り前後のカバー６２を取り外した状態で、外方つまり前後方向から図４に示す通りそれぞれ六角形状のナットｎを挿入し所定箇所に位置付け得るナット収容部６５ａを形成している。
【００４２】
すなわち図４に示すように、前後のカバー６２を外した状態でナット収容部６５ａから例えば市販の六角形状のナットｎを挿入し所定箇所に位置付けておく。そうすることで、ボルト挿通部６６ａからのボルトｂに対してナットｎが螺合することにより、内側部６５と外側部６６とが交互に接近し、第１の取付面６７と第２の取付面６７とによってなる括れ取付面たる取付面６７が肘支柱５０の括れ部５２に対して強固に取り付くこととなる。
【００４３】
そうすることによって、フック６自体が肘支柱５０に対して強固な取付と正確な位置決めを実現している。そしてさらにフック６に荷物を掛けた際の負荷を利用して取付部６１と括れ部５２とがさらに密着する。具体的には、特に第１のテーパ部５３と第１の取付面６７ａとの密着が強くなることで、好適に荷物を懸吊することができる。
【００４４】
以上のような構成とすることにより、本実施形態に係るフック６を具備している椅子は、肘支柱５０の第1のテーパ部５３に取付部６１を係り合わせて取り付ければ、自ずと所定の上下位置でフック６を位置付けることができる。そうすることにより、フック本体６０に荷物を掛けることによって着座者は執務中に必要なものを自身の近辺に位置付けておくことができるので、フリーアドレスオフィスにおいて執務を快適に行なうことができる椅子となっている。さらに、フック本体６０に荷物を掛けることによってフック６と第1のテーパ部５３との取付強度はより強まることとなるので、安定して荷物を掛け得るものとなっている。
【００４５】
また本実施形態では、フック本体６０が、取付部６１に対して添設させた収納位置（Ｑ）と取付部６１に対して突出させた使用位置（Ｐ）との間で回転可能に設けてある。斯かる構成により、使用するときにのみ使用位置（Ｐ）として使用フック本体６０を十分に突出させて使用することが可能である。
【００４６】
そして、フック６を使用者や他のオフィス家具に不必要に干渉し難いものとするために本実施形態では、フック本体６０を収納位置（Ｑ）に退避させた状態で平面視において肘当て５１の外縁よりも内側に位置するように構成している。具体的には、正面視において肘当ての外側よりもはみ出さない位置にフック６を位置付けている。
【００４７】
また、第1のテーパ部５３に対して、同じように上方に向かって漸次縮小するテーパ形状をなしている第1の取付面６７を密着させて構成しているので、取付部６１が肘支柱５０に対する確実な位置決めが実現している。
【００４８】
特に本実施形態では、肘支柱５０における第２のテーパ面５４をも含んだ括れ部５２に対応するため、取付部６１には第２の取付面６７ｂをさらに設けて括れ取付面６７を形成することにより、取付部６１の位置決めをより確実なものとしている。
【００４９】
そして、この括れ部５２を湾曲させて形成することにより、当該湾曲させて形成される括れ取付面たる取付面６７を強い力で取り付けても、その力すなわち固定手段Ｘによる締め付け力が括れ部５２全体に分散されて、肘支柱５０に強固に取り付け得るものとなっている。
【００５０】
また括れ部５２を肘当て５１近傍に設けておくことで、フック６を肘から最も突出し難い位置に位置付けておくことができるとともに、肘掛け５に自らの肘を預けている使用者が容易に使用し得るものとなっている。
【００５１】
そして本実施形態では、括れ部５２近傍において取付部６１を固定するためにボルトｂとナットｎによって肘支柱５０を固定するに固定手段Ｘを設けるに際し、外方から六角形状のナットｎを挿入し所定箇所に位置付け得るナット収容部６５ａを形成している。そうすることによって、取付部６１にタップ加工などの特殊な加工を施したり別途板ナット等を準備したりすることを有効に回避している。そしてナットｎとして、市販されているもの等、入手し易い態様の六角形状のものを適用することで、単純な構成で確実に肘支柱５０に取付部６１を固定し得る固定手段Ｘを実現している。
【００５２】
続いて、本実施形態の各変形例について詳述する。なお下記の各変形例において、上記実施形態と同じ構成要素については同じ符号を付すとともに、その詳細な説明を省略するものとする。
【００５３】
＜変形例１＞
上記実施形態についてはフック本体６０を取付部６１に対して回転可能に構成することで不使用時にフック６自体をコンパクトにし得る構成を適用したが、本変形例に示すように、フック本体６０を取付部６１に対して一体的に形成する態様としても良い。
【００５４】
すなわち本変形例に係る椅子は上記実施形態同様に、肘支柱５０上に肘当て５１を設けた肘掛け５にフック６を設けてなる椅子であって、肘支柱５０が、上方に向かって太さが漸次縮小するテーパ形状をなす第1のテーパ部５３を有するものであり、フック６が肘支柱５０に着脱可能に外嵌される取付部６１と、この取付部６１に支持されたフック本体６０とを備えるものであることを特徴とするものである。そして斯かる構成に加え。フック本体６０を、取付部６１に対して固定されたものとしている。
【００５５】
このように、本変形例では、フック本体６０が取付部６１に対して一体的に固定されたものであることにより、肘支柱５０に対して一体的に取り付けて強度の高い構造を実現している。
【００５６】
＜変形例２＞
そして勿論、本発明に係る椅子は上記実施形態並びに図１に開示した背座シンクロチルト構造のものに限られることはない。すなわち本変形例に係る椅子は、図８上側にて全体を示す通り、脚体１と、この脚体１の上部に支持され水平旋回可能な図示しない支持基部と、この支持基部２の上に配された座３と、支持基部の側方から左右上方に延びて設けられた肘掛け５と、座３に設けられた背フレーム４０を有する背凭れ４と、そしてフック６とを具備してなるものを適用としている。
【００５７】
しかして本変形例に係る椅子は、同図右下に要部として示すように、上記実施形態のような第１のテーパ部５３等を設けることなく、肘支柱５０の所定箇所を適宜切り欠くことによって形成した括れ段部５２ａを設けた肘掛け５を適用するとともに、当該括れ段部５２ａに係り合う取付面６７を有した取付部６１を具備しているフック６としている。
【００５８】
このようなものであっても、上記実施形態並びに変形例同様に、フック本体６０に荷物を掛けることによって着座者は執務中に必要なものを自身の近辺に位置付けておくことができるので、フリーアドレスオフィスにおいて執務を快適に行なうことができる。
【００５９】
以上、本発明の実施形態について説明したが、各部の具体的な構成は、上述した実施形態のみに限定されるものではなく、本発明の趣旨を逸脱しない範囲で種々変形が可能である。
【００６０】
例えば、上記実施形態ではフック本体を椅子の外側に向けて突出させた態様を開示したが、勿論、前後方向に突出させることによりフック本体を使用位置としたものであってもよい。また固定手段の具体的な態様や、上記実施形態では側方から取付けていた取付部の取付方向等の体的な態様は上記実施形態のものに限定されることはなく、既存のものを含め、種々の態様のものを適用することができる。
【００６１】
その他、各部の具体的構成についても上記実施形態に限られるものではなく、本発明の趣旨を逸脱しない範囲で種々変形が可能である。
【符号の説明】
【００６２】
５…肘掛け
５０…肘支柱
５１肘当て
５２…括れ部
５２ａ…括れ段部
５３…第１のテーパ部
５４…第２のテーパ部
６…フック
６０…フック本体
６１…取付部
６５ａ…ナット収容部
６７…取付面、括れ取付面（取付面）
６７ａ…第1の取付面
６７ｂ…第２の取付面
ｂ…ボルト
ｎ…ナット
Ｐ…使用位置
Ｑ…収納位置
Ｘ…固定手段
【図１】
0005510954.tif 000002
【図２】
0005510954.tif 000003
【図３】
0005510954.tif 000004
【図４】
0005510954.tif 000005
【図５】
0005510954.tif 000006
【図６】
0005510954.tif 000007
【図７】
0005510954.tif 000008
【図８】
0005510954.tif 000009